(57)【要約】【課題】既存構造とされたものも含めて陶磁器の破損を簡単に防止できる構成を備えた陶磁器収納かごを提供する。【解決手段】矩形平面をなす底面１Ａの縦横に並列された複数の金属線材２、３により底面１Ａおよび底面の四方に位置する側壁部を構成される陶磁器収納かご１において、底面１Ａの長辺に平行する軸方向を有した長辺用金属線材２における前記底面１Ａに位置する部分に長辺用金属線材２よりも大径のチューブ５を挿嵌して被覆し、長辺と直角方向に軸方向を有する短辺用金属線材３を長辺用金属線材２の下面に位置させてチューブ５を陶磁器収納面側に露呈させたことを特徴とする。【選択図】図３
2011162229.tif 000002
【特許請求の範囲】
【請求項１】
矩形平面をなす底面の縦横方向に並列された複数の金属線材の長手方向両端を折り曲げることにより前記底面および該底面の四方に位置する側壁を構成され、内部に陶磁器収納空間を構成される陶磁器収納かごにおいて、
前記底面の長辺に平行する軸方向を有した長辺用金属線材における前記底面に位置する部分に該金属線材よりも大径のチューブを挿嵌して被覆し、前記長辺と直角方向に軸方向を有する短辺用金属線材を前記長辺用金属線材の下面に位置させて前記チューブを陶磁器収納面側に露呈させたことを特徴とする陶磁器収納かご。
【請求項２】
前記チューブは、前記長辺用金属線材の下面に位置する短辺用金属線材から外側にはみ出ない外径を持つことを特徴とする請求項１に記載の陶磁器収納かご。
【請求項３】
前記チューブは、高摩擦係数および耐熱性を有する樹脂が用いられることを特徴とする請求項１または２に記載の陶磁器収納かご。
【請求項４】
前記チューブはシリコーンゴムが用いられることを特徴とする請求項１乃至３のうちの一つに記載の陶磁器収納かご。
【発明の詳細な説明】
【技術分野】
【０００１】
本発明は、陶磁器などの衝撃に弱い器や皿を収納できるかごに関する
【背景技術】
【０００２】
食器等に用いられる陶磁器は、保管する際や洗浄の際にかごに収納されることがある。
このようなかごは、概ね、金属線材を折り曲げて上方が開放された形状のものが多い。
【０００３】
ところで、陶磁器はかご内に積み重ねられ足り、横向きにして重ねられて収納されるが、金属線材に接触している陶磁器は、衝撃が加わった際に金属線材との剛性の違いにより破損してしまう虞がある。
【０００４】
従来、陶磁器の破損を防止する構成としては、収納かごに用いられる金属線材にポリエチレンなどの特殊コーティングを施し、コーティングされた金属線材を折り曲げて加工する構成が提案されている（例えば、特許文献１，２）。
【先行技術文献】
【特許文献】
【０００５】
【特許文献１】特開２００３−３１２６６６号公報
【特許文献２】特開２００３−１２６００６号公報
【発明の概要】
【発明が解決しようとする課題】
【０００６】
しかし、金属線材に特殊コーティングを施した場合、折り曲げ加工とは別の工程においてコーティング処理を行う必要があることから、かごの製造に要する工程数が増加してしまい、加工コストの上昇を招く虞がある。
しかも、金属線を折り曲げ加工してかご形態とする場合には、予めコーティング処理が施された金属線材を準備しておく必要があり、既存構造を有したかごを対象として陶磁器の破損防止構造を設けることができない。
【０００７】
さらに、従来の陶磁器収納かごでは、金属線材全体に特殊コーティングが施されている関係で、底面に位置する金属線材が地面と接触して動かされるような場合に特殊コーティングの剥落を防止する必要がある。このため上記特許文献には、かごの底面に位置する金属線材とは別に、その金属線材が地面と接触しないような保護構造が必要となり部品点数の増加により加工コストの上昇を招く虞がある。
【０００８】
本発明の目的は、上記従来の陶磁器収納かごにおける問題に鑑み、既存構造とされたものも含めて陶磁器の破損を簡単に防止できる構成を備えた陶磁器収納かごを提供することにある。
【課題を解決するための手段】
【０００９】
この目的を達成するため、本発明は次の構成よりなる。
（１）矩形平面をなす底面の縦横方向に並列された複数の金属線材の長手方向両端を折り曲げることにより前記底面および該底面の四方に位置する側壁を構成され、内部に陶磁器収納空間を構成される陶磁器収納かごにおいて、
前記底面の長辺に平行する軸方向を有した長辺用金属線材における前記底面に位置する部分に該金属線材よりも大径のチューブを挿嵌して被覆し、前記長辺と直角方向に軸方向を有する短辺用金属線材を前記長辺用金属線材の下面に位置させて前記チューブを陶磁器収納面側に露呈させたことを特徴とする陶磁器収納かご。
【００１０】
（２）前記チューブは、前記長辺用金属線材の下面に位置する短辺用金属線材から外側にはみ出ない外径を持つことを特徴とする（１）に記載の陶磁器収納かご。
【００１１】
（３）前記チューブは、高摩擦係数および耐熱性を有する樹脂が用いられることを特徴とする（１）または（２）に記載の陶磁器収納かご。
【００１２】
（４）前記チューブはシリコーンゴムが用いられることを特徴とする（１）乃至（３）のうちの一つに記載の陶磁器収納かご。
【発明の効果】
【００１３】
本発明によれば、底面の長辺方向に軸方向を有する長辺用金属線材が底面の長辺方向と直角な方向に軸方向を有する短辺用金属線材の上面に位置し、かつ、その長辺用金属線材に被覆されたチューブが食器収容面に露呈するようになっているので、食器収容面に収容された食器の緩衝部として機能する。これにより、食器への衝撃を緩和して食器の破損を防止することができる。
【００１４】
しかも、チューブは、金属線材に挿嵌されるようになっているので、金属線材の折り曲げ加工とほぼ同時に被覆施工ができるので、金属線材への被覆保護部をコーティング処理するような特別な工程を要することなく容易に食器の破損防止部を設けることが可能となる。
【００１５】
さらに、長辺用金属線材の下面に短辺用金属線材を配置しているので、チューブが地面と接触することがなく、地面との接触を防ぐための構造を必要としないで済むので、コスト上昇を抑えて食器の破損を防止することが可能となる。
【図面の簡単な説明】
【００１６】
【図１】本発明による陶磁器収納かごの全体構成を示す斜視図である。
【図２】図１に示した陶磁器収納かごに用いられる長辺用金属線材の加工工程を説明するための図である。
【図３】図１において符号（３）で示す方向の部分的な矢視断面図である。
【図４】図１に示した陶磁器収納かごの一部変形例を説明するための図である。
【発明を実施するための形態】
【００１７】
以下、図面により本発明を実施するための形態について説明する。
図１は、本発明による陶磁器収納かご１の全体構成を示す斜視図である。
図１において陶磁器収納かご１は、矩形平面をなす底面１Ａの長辺方向に軸方向を有する長辺用金属線材２と、底面１Ａの長辺と直角な方向に軸方向を有する短辺用金属線材３とを、それら軸方向両端を上方に折り曲げたものを縦横に複数並列することにより内部に陶磁器収納空間が構成されている。
【００１８】
底面１Ａの四方を囲むように上方に折り曲げられている各金属線材２，３は、祖の四方から上方に折り曲げられて側壁をなす部分（図１において符号２Ａ、３Ａで示す部分）において縦方向に並列するように複数設けられている横桟用金属線材４に一体化されている。
なお、図１において符号６は、陶磁器収納かご１の４隅に配置されて底面１Ａの対角線上に沿って軸方向両端を折り曲げられた角用金属線材を示している。
【００１９】
横桟材用金属線材４は、長辺用金属線材２および短辺用金属線材３の外周部を囲繞した状態で溶接などにより一体化され、これにより、金属線材２，３の側壁をなす部分２Ａ、３Ａが底面内側あるいは底面外側に倒れないように保持されている。
【００２０】
長辺用金属線材２および短辺用金属センサ３は共に陶磁器収納かご１の手面において重ねられているが、長辺用金属線材２の下面に短辺用金属センサ３が位置するように重ねられている。
長辺用金属線材２の底面部分には、長辺用金属線材２よりも大径で短辺用金属線材３の外側、つまり、図３に示すように、下方にはみ出ないサイズを持つチューブ５が設けられている。
【００２１】
チューブ５は、図２に示すように、長辺用金属線材２の折り曲げ加工に先立ち、長辺用金属線材２に挿嵌されるようになっている。
チューブ５としては、図３に示すように、耐衝撃性、特に、長辺用金属線材２よりも大径であることを利用してその厚み部分での弾性変形が可能でしかも高摩擦係数および耐熱性を有する材料が用いられており、本実施例では、シリコーンゴムのチューブが用いられている。
【００２２】
本実施例は、以上のような構成であるから、陶磁器収納かご１を製造する場合、図２（Ｂ）に示すように、長辺用金属線材２にチューブ５を挿嵌した上で、折り曲げ加工が行われる。
短辺用金属線材３にはチューブ５の挿嵌はなく、折り曲げ加工されると陶磁器収納かご１の底面部において長辺用金属線材２の下面に位置するように配置されて一体化される。
陶磁器収納かご１の底面および側壁部が各金属線材２，３の折り曲げおよび重ね接合により構成されると、横桟用金属線材４が長辺用金属線材２および短辺用金属線材３の外周を囲繞した状態で接合される。
【００２３】
本実施例は、以上のような構成であるから、陶磁器収納かご１を製造する場合には、底面１Ａに位置される長辺用金属線材を折り曲げ加工する際に、図２に示すようにチューブ５を挿嵌した状態で折り曲げ加工することで、折り曲げ加工とほぼ同時に陶磁器の破損防止部を備えた陶磁器収納かご１の骨格の一部材を形成することができる。
【００２４】
一方、チューブ５が挿嵌された長辺用金属線材２を陶磁器収納かご１の底面１Ａにおける短辺に沿って複数配置した状態で短辺用金属線材３を長辺用金属線材２の下面に位置させて接合することにより、陶磁器収納かご１の底面部およびこれに四方に位置する側壁部を形成することができる。
また、陶磁器収納かご１の底面４隅には、角用金属線材６が配置され、短辺用金属線材３の下面において底面１Ａの対角線上に沿って架橋されて短辺用金属線材３に接合される。
【００２５】
本実施例において陶磁器収納かご１は、その底面に位置する長辺用金属線材２が短辺用金属線材３よりも上部に位置しているので、チューブ５が陶磁器収納面側に露呈することになる。
これにより、収納される陶磁器は金属線材に直接触れることがないので、衝撃を受けた際には、チューブ５の弾性変形による衝撃吸収によって破損するのを防止される。
【００２６】
しかも、チューブ８５に接触している陶磁器は、チューブ５の高摩擦係数により不用意な動きを抑えられることになるので、側壁部を構成する金属線材との衝突も避けられて破損が防がれることになる。
【００２７】
一方、チューブ５は、短辺用金属線材３から外側、特に、地面側に突出することがないので、地面に陶磁器収納かご１を置いた場合に地面との間で動いた際にこすれて剥落するようなことがない。地面との接触によるチューブ５の剥がれを防止する構成としては、特別な保護構造を要することなく、かごの構成部材を利用するだけで済む。これにより、構成の複雑化や部品点数の増加を抑えることができる。
【００２８】
次に上記収納かご１の要部変形例について説明する。
図４は、陶磁器収納かご１を下面から見た一部を示す図であり、同図に示す構成は、短辺用金属線材３に対して陶磁器収納かご１の脚部を構成する枠状金属線材７に一体化したことを特徴としている。
図４において、長辺用金属線材２の下面に配置される短辺用金属線材３は、その下面で底面１Ａの四方沿って周回された枠状金属線材７に接合されている。
枠状金属線材７は、横桟用金属線材４のうちで最下位に位置するものとの間に支持部７Ａを有し、この支持部７Ａが横桟用金属線材４に接合されている。
枠状金属線材７は、陶磁器首脳かご１における底面１Ａよりも下方に位置しているので、地面に置く際の脚部として機能する。
【００２９】
この構成においては、枠状金属線材７が図１に示した角用金属線材６と置き換えられたものであり、底面１Ａと地面との間に隙間を設けることができることにより、洗浄後の水切り用隙間とすることができる。
【００３０】
上述した実施例におけるチューブ５は、長辺用金属線材２に挿嵌するようになっているが、軸方向に沿って挿嵌するだけでなく、例えば、長手方向に切れ目を入れ、その切れ目を押し広げて長辺用金属線材２に装着するようにしても良い。このような手法によれば、既存構造の陶磁器収納かご１の長辺用金属線材２を対象として後付けによりチューブ５を取り付けることが可能となる。
【００３１】
なお、上記実施例においては、陶磁器収納かご１の底面１Ａが矩形平面であることを対象として、金属線材に関して矩形平面の長辺および短辺という定義をしているが、本発明では、縦横２辺を有する底面形状を対象として疎の各辺に沿った軸方向を有する金属線材を用いることが前提であるので、矩形以外の形状の底面を対象とすることも可能である。
【符号の説明】
【００３２】
１  陶磁器収納かご
２  長辺用金属線材
３  短辺用金属線材
４  横桟用金属線材
５  チューブ
【図１】
2011162229.tif 000003
【図２】
2011162229.tif 000004
【図３】
2011162229.tif 000005
【図４】
2011162229.tif 000006